(57)【要約】  本発明は、無線通信システム（ＲＣＳ）内でのリソース割当の方法に関する。無線通信システム（ＲＣＳ）は、基地局（ＢＳ）および少なくとも１つの移動局（ＭＳ１、ＭＳ２）を含む。基地局（ＢＳ）は、少なくとも２つのアンテナ要素（ＡＥ１、ＡＥ２）を有する第１アンテナ・システム（ＡＳ１）を含む。基地局（ＢＳ）および少なくとも１つの移動局（ＭＳ１、ＭＳ２）は、コードブックを含む。方法は、基地局（ＢＳ）から少なくとも１つの移動局（ＭＳ１、ＭＳ２）に基準信号（ＲＳ）を送信するステップ（Ｍ１／１）と、少なくとも１つの移動局（ＭＳ１、ＭＳ２）によって第１フィードバック情報（ＦＢＩ１、ＦＢＩ２）を決定するステップ（Ｍ１／３）とを含み、フィードバック情報（ＦＢＩ１、ＦＢＩ２）は、基地局（ＢＳ）と少なくとも１つの移動局（ＭＳ１、ＭＳ２）との間の送信チャネル（ＴＣ１、ＴＣ２）の特性を近似する少なくとも１つのシステム記述を示す第１コンポーネント（ＣＯ１）を含み、方法は、基地局（ＢＳ）で、第１フィードバック情報（ＦＢＩ１、ＦＢＩ２）に基づいて少なくとも１つの移動局（ＭＳ１、ＭＳ２）のコードブックの第１プリコーディング・ベクトルを選択するステップ（Ｍ１／６）をさらに含む。
2012510225.tif 000002
【特許請求の範囲】
【請求項１】
無線通信システム（ＲＣＳ）内でのリソース割当の方法であって、前記無線通信システム（ＲＣＳ）は、基地局（ＢＳ）および少なくとも１つの移動局（ＭＳ１、ＭＳ２）を含み、前記基地局（ＢＳ）は、少なくとも２つのアンテナ要素（ＡＥ１、ＡＥ２）を有する第１アンテナ・システム（ＡＳ１）を含み、前記基地局（ＢＳ）および前記少なくとも１つの移動局（ＭＳ１、ＭＳ２）は、コードブックを含んでおり、
前記基地局（ＢＳ）から前記少なくとも１つの移動局（ＭＳ１、ＭＳ２）に基準信号（ＲＳ）を送信するステップ（Ｍ１／１）と、
前記少なくとも１つの移動局（ＭＳ１、ＭＳ２）によって第１フィードバック情報（ＦＢＩ１、ＦＢＩ２）を決定するステップ（Ｍ１／３）と
を含む方法において、前記フィードバック情報（ＦＢＩ１、ＦＢＩ２）が前記基地局（ＢＳ）と前記少なくとも１つの移動局（ＭＳ１、ＭＳ２）との間の送信チャネル（ＴＣ１、ＴＣ２）の特性を近似する少なくとも１つのシステム記述を示す第１コンポーネント（ＣＯ１）を含み、方法は、前記基地局（ＢＳ）で、前記第１フィードバック情報（ＦＢＩ１、ＦＢＩ２）に基づいて前記少なくとも１つの移動局（ＭＳ１、ＭＳ２）の前記コードブックの第１プリコーディング・ベクトルを選択するステップ（Ｍ１／６）をさらに含むことをさらに特徴とする
方法。
【請求項２】
前記無線通信システム（ＲＣＳ）は、ＯＦＤＭＡ無線通信システムである、請求項１に記載の方法。
【請求項３】
前記無線通信システム（ＲＣＳ）は、少なくとも１つのさらなる移動局（ＭＳ１、ＭＳ２）を含み、方法は、
前記少なくとも１つのさらなる移動局（ＭＳ１、ＭＳ２）によって少なくとも第２フィードバック情報（ＦＢＩ１、ＦＢＩ２）を決定するステップ
をさらに含み、前記第１プリコーディング・ベクトルの前記選択（Ｍ１／６）は、さらに、前記少なくとも第２フィードバック情報（ＦＢＩ１、ＦＢＩ２）に基づき、移動局（ＭＳ１、ＭＳ２）およびプリコーディング・ベクトルの組合せについて計算されたユーティリティ値に基づき、前記ユーティリティ値のうちの複数は、移動局（ＭＳ１、ＭＳ２）およびプリコーディング・ベクトルの前記組合せのうちの複数について、前記少なくとも１つの移動局（ＭＳ１、ＭＳ２）に前記第１プリコーディング・ベクトルと共に第１データを、前記少なくともさらなる移動局（ＭＳ１、ＭＳ２）に前記コードブックの第２プリコーディング・ベクトルと共に第２データを同時に送信するときに、入手される
請求項１に記載の方法。
【請求項４】
前記基地局（ＢＳ）および前記少なくとも１つの移動局（ＭＳ１、ＭＳ２）は、少なくとも２つのテスト・チャネル記述のセットを含み、前記システム記述は、前記テスト・チャネル記述のうちの１つである、請求項１に記載の方法。
【請求項５】
前記少なくとも２つのテスト・チャネル記述は、少なくとも２つの見通し線チャネル（ＬＯＳＣ１、ＬＯＳＣ２）であり、前記少なくとも２つの見通し線チャネル（ＬＯＳＣ１、ＬＯＳＣ２）のうちの第１の１つ（ＬＯＳＣ１）は、第１発射角（ＡＯＤ１）によって識別され、前記少なくとも２つの見通し線チャネル（ＬＯＳＣ１、ＬＯＳＣ２）のうちの第２の１つ（ＬＯＳＣ２）は、第２発射角（ＡＯＤ２）によって識別される、請求項４に記載の方法。
【請求項６】
前記システム記述は、正規化されたシステム記述であり、方法は、前記正規化されたシステム記述と前記少なくとも１つの移動局（ＭＳ１、ＭＳ２）での前記送信チャネル（ＴＣ１、ＴＣ２）の前記特性との間の適応パラメータの少なくとも１つの値を計算するステップ（Ｍ３／１）を含み、前記フィードバック情報（ＦＢＩ１、ＦＢＩ２）は、前記適応パラメータの前記少なくとも１つの値を提供する第２コンポーネント（ＣＯ２）をさらに含む、請求項１に記載の方法。
【請求項７】
前記適応パラメータは、前記テスト・チャネル記述の第１電力レベルを前記送信チャネル（ＴＣ１、ＴＣ２）の前記特性の第２電力レベルに適応させる雑音電力である、請求項４および請求項６に記載の方法。
【請求項８】
前記雑音電力は、加法性白色ガウス雑音電力である、請求項７に記載の方法。
【請求項９】
前記移動局（ＭＳ１、ＭＳ２）は、システム記述のセットを含み、方法は、
前記送信チャネル（ＴＣ１、ＴＣ２）の前記特性の第１ユーティリティ値と前記コードブックのプリコーディング・ベクトルの複数の組合せに関する前記システム記述のうちの複数の第２ユーティリティ値との間の近似誤差を計算するステップ（４／１）と、
第２の事前定義のしきい値未満の第２値を有する前記近似誤差の近似誤差を決定するステップ（４／２）と
をさらに含む、請求項１に記載の方法。
【請求項１０】
前記フィードバック情報（ＦＢＩ１、ＦＢＩ２）は、前記近似誤差値を提供する第３コンポーネント（ＣＯ３）をさらに含む、請求項９に記載の方法。
【請求項１１】
前記適応パラメータの前記値は、前記近似誤差値にさらに依存する、請求項６および請求項９に記載の方法。
【請求項１２】
前記第１ユーティリティ値は、第１データ・レートであり、前記第２ユーティリティ値は、第２データ・レートであり、前記第１データ・レートは、前記コードブックのプリコーディング・ベクトルの組合せ、前記少なくとも１つの移動局（ＭＳ１、ＭＳ２）によって受信された前記基準信号（ＲＳ）、および推定された平均雑音電力の第１関数であり、前記第２データ・レートは、プリコーディング・ベクトルの前記組合せおよび前記システム記述のパラメータの第２関数である、請求項９に記載の方法。
【請求項１３】
基地局（ＢＳ）および少なくとも１つの移動局（ＭＳ１）を含む無線通信システム（ＲＣＳ）であって、前記基地局（ＢＳ）は、少なくとも２つのアンテナ要素（ＡＥ１、ＡＥ２）を有する第１アンテナ・システム（ＡＳ１）を含み、前記基地局（ＢＳ）および前記少なくとも１つの移動局（ＭＳ１、ＭＳ２）は、コードブックを含み、前記基地局（ＢＳ）は、無線通信システム（ＲＣＳ）内でリソースを割り当てるように適合されており、
前記基地局（ＢＳ）から前記少なくとも１つの移動局（ＭＳ１、ＭＳ２）に基準信号（ＲＳ）を送信する手段（ＴＲ１）と、
前記少なくとも１つの移動局（ＭＳ１、ＭＳ２）によってフィードバック情報（ＦＢＩ１、ＦＢＩ２）を決定する手段（ＤＥＴ）と
を備える無線通信システム（ＲＣＳ）において、前記フィードバック情報（ＦＢＩ１、ＦＢＩ２）が、前記基地局（ＢＳ）と前記少なくとも１つの移動局（ＭＳ１、ＭＳ２）との間の送信チャネル（ＴＣ１、ＴＣ２）の特性を近似する少なくとも１つのシステム記述を示す第１コンポーネント（ＣＯ１）を含み、無線通信システム（ＲＣＳ）は、前記フィードバック情報（ＦＢＩ１、ＦＢＩ２）に基づいて前記少なくとも１つの移動局（ＭＳ１、ＭＳ２）に関する前記コードブックの第１プリコーディング・ベクトルを前記基地局（ＢＳ）で選択する手段（ＳＥＬ）をさらに含むことをさらに特徴とする
無線通信システム（ＲＣＳ）。
【請求項１４】
無線通信システム（ＲＣＳ）内でリソースを割り当てるように適合された基地局（ＢＳ）であって、少なくとも２つのアンテナ要素（ＡＥ１、ＡＥ２）を有する第１アンテナ・システム（ＡＳ１）およびコードブックを含んでおり、
基準信号（ＲＳ）を送信する手段（ＴＲ１）と、
フィードバック情報（ＦＢＩ１、ＦＢＩ２）を受信する手段（ＴＲ１）と
を備える基地局（ＢＳ）において、前記フィードバック情報（ＦＢＩ１、ＦＢＩ２）が、基地局（ＢＳ）と前記少なくとも１つの移動局（ＭＳ１）との間の送信チャネル（ＴＣ１、ＴＣ２）の特性を近似する少なくとも１つのシステム記述を示す第１コンポーネント（ＣＯ１）を含み、基地局（ＢＳ）は、前記フィードバック情報（ＦＢＩ１、ＦＢＩ２）に基づいて少なくとも１つの移動局（ＭＳ１、ＭＳ２）に関する前記コードブックの第１プリコーディング・ベクトルを選択する手段（ＳＥＬ）をさらに含むことをさらに特徴とする
基地局（ＢＳ）。
【請求項１５】
コードブックを含む移動局（ＭＳ１、ＭＳ２）であって、
基準信号（ＲＳ）を受信する手段（ＴＲ２）と、
フィードバック情報（ＦＢＩ１、ＦＢＩ２）を決定する手段（ＤＥＴ）と
を備える移動局（ＭＳ１、ＭＳ２）において、前記フィードバック情報（ＦＢＩ１、ＦＢＩ２）が、基地局（ＢＳ）と移動局（ＭＳ１、ＭＳ２）との間の送信チャネル（ＴＣ１、ＴＣ２）の特性を近似する少なくとも１つのシステム記述を示す第１コンポーネント（ＣＯ１）を含むことをさらに特徴とする
移動局（ＭＳ１、ＭＳ２）。
【発明の詳細な説明】
【技術分野】
【０００１】
本発明は、請求項１のプリアンブルによる無線通信システムでのリソース割当の方法、請求項１３のプリアンブルによる無線通信システム、請求項１４のプリアンブルによる基地局、および請求項１５のプリアンブルによる移動局に関する。
【背景技術】
【０００２】
無線通信システムの基地局で複数のアンテナ要素を有するアンテナ・システムを使用することによって、ダウンリンク・チャネル内の複数のビームを、異なる方位に向けることができる。いわゆるコードブックは、基地局が移動局にデータを送信するのに使用するために割り当てられるビームの送信パラメータを決定する。コードブックの要素は、プリコーディング・ベクトルまたはビームフォーマと呼ばれる。コードブックのプリコーディング・ベクトルは、そのパラメータにおいて異なり、一般に、１セクタ全体または１セル全体をカバーする。
【０００３】
ＯＦＤＭＡ無線通信システムでは、移動局にデータを送信するためのリソース・ブロックは、ＯＦＤＭ記号のシーケンスおよび複数の副搬送波を伴う周波数範囲を含む。３ＧＰＰ  ＴＳ  ３６．２１１  Ｖ８．４．０（２００８−０９）「Ｐｈｙｓｉｃａｌ  Ｃｈａｎｎｅｌｓ  ａｎｄ  Ｍｏｄｕｌａｔｉｏｎ」では、ＬＴＥ（ＬＴＥ＝ロング・ターム・エボリューション）のために標準化されたリソース・ブロックは、１４個のＯＦＤＭ記号および１２個の連続する副搬送波からなる。各リソース・ブロックの周波数範囲は、基地局および各移動局によって知られている。
【０００４】
ＯＦＤＭＡ伝送技法と基地局の複数のアンテナとの組合せは、同一データ・フレームの同一リソース・ブロックを用いる無線セルの１セクタ内の異なる位置に配置された複数の移動局を、異なるプリコーディング・ベクトルを使用してスケジューリングすることを可能にする。基地局と移動局との間のダウンリンク・チャネルは、移動局ごとに、基地局から特定の移動局への異なる送信チャネルを含む。というのは、移動局が、一般に異なる位置に配置されるからである。
【０００５】
最大の総合データ・レートを達成するための最適非線形コーディング、信号処理、およびスケジューリング・ルールは、情報理論の理論的問題であり、ＤＰＣ（ＤＰＣ＝ダーティ・ペーパ符号化）として知られている。ＤＰＣは、他の移動局に送信されるダウンリンク・データからの干渉が打ち消される形で移動局のデータをプリコーディングするコーディング技法である。副搬送波ごとの基地局と移動局との間のすべての送信チャネルの特性に関する情報が、ＤＰＣを使用するために基地局で必要である。フィードバック情報を報告するための移動局から基地局へのアップリンク・チャネルの容量が限られているため、ＤＰＣは、総合データ・レートの上限を提供するだけであり、現実的なコーディング方法ではない。
【０００６】
３ＧＰＰ  Ｒ１−０７３９３７、Ａｌｃａｔｅｌ−Ｌｕｃｅｎｔ、「Ｃｏｍｐａｒｉｓｏｎ  ａｓｐｅｃｔｓ  ｏｆ  ｆｉｘｅｄ  ａｎｄ  ａｄａｐｔｉｖｅ  ｂｅａｍｆｏｒｍｉｎｇ  ｆｏｒ  ＬＴＥ  ｄｏｗｎｌｉｎｋ」、３ＧＰＰ  ＴＳＧ  ＲＡＮ  ＷＧ１  ＃５０ｂｉｓ  Ｓｈａｎｇｈａｉ、中国、２００７年１０月８〜１２日では、固定された角度順序のプリコーディング・ベクトルを有するコードブックを使用する方法が提案されている。各移動局は、リソース・ブロックごとに、本明細書では後で最良プリコーディング・ベクトルと呼ばれる、このリソース・ブロック上の移動局の最大信号電力を提供するプリコーディング・ベクトルを選択する。最良プリコーディング・ベクトルの表示およびＣＱＩ値（ＣＱＩ＝チャネル品質情報）が、リソース・ブロックごとに、各移動局から基地局に報告される。ビーム距離判断基準が、基地局で使用されて、同一リソース・ブロックの異なるプリコーディング・ベクトルの間の干渉を低減する。ビーム距離判断基準は、ビーム距離判断基準が満足される場合に限って、２つのプリコーディング・ベクトルを一緒にスケジューリングできることを意味する。しかし、この方法では、移動局にプリコーディング・ベクトルを最適に割り当てることができない。というのは、真の干渉電力が、ビーム距離判断基準法の判断アルゴリズムに入力されないからである。
【０００７】
さらなる方法は、最良プリコーディング・ベクトルについて報告する表示および、本明細書で後で最良コンパニオン・プリコーディング・ベクトル（ｂｅｓｔ  ｃｏｍｐａｎｉｏｎ  ｐｒｅ−ｃｏｄｉｎｇ  ｖｅｃｔｏｒ）と呼ばれる、最小の干渉を有するプリコーディング・ベクトルの表示、または、第１しきい値を超えるプリコーディング・ベクトルのセットの表示もしくは移動局から基地局への第２しきい値未満のプリコーディング・ベクトルのセットの表示と一緒の第１しきい値を超えるプリコーディング・ベクトルのセットの表示を使用する。これらの方法は、より現実的なビーム間干渉電力を提供するが、フィードバック・アップリンク・チャネルのより多くのリソース消費という犠牲を払う。
【先行技術文献】
【非特許文献】
【０００８】
【非特許文献１】３ＧＰＰ  ＴＳ  ３６．２１１  Ｖ８．４．０（２００８−０９）「Ｐｈｙｓｉｃａｌ  Ｃｈａｎｎｅｌｓ  ａｎｄ  Ｍｏｄｕｌａｔｉｏｎ」
【非特許文献２】３ＧＰＰ  Ｒ１−０７３９３７、Ａｌｃａｔｅｌ−Ｌｕｃｅｎｔ、「Ｃｏｍｐａｒｉｓｏｎ  ａｓｐｅｃｔｓ  ｏｆ  ｆｉｘｅｄ  ａｎｄ  ａｄａｐｔｉｖｅ  ｂｅａｍｆｏｒｍｉｎｇ  ｆｏｒ  ＬＴＥ  ｄｏｗｎｌｉｎｋ」、３ＧＰＰ  ＴＳＧ  ＲＡＮ  ＷＧ１  ＃５０ｂｉｓ  Ｓｈａｎｇｈａｉ、中国、２００７年１０月８〜１２日
【発明の概要】
【発明が解決しようとする課題】
【０００９】
無線セルのセクタ内で基地局によって複数の移動局を同時にスケジューリングする方法は、基地局の総合データ・レートに影響する。したがって、本発明の目的は、適切なフィードバック情報および適切な判断アルゴリズムを使用して基地局の総合データ・スループットを改善することである。
【課題を解決するための手段】
【００１０】
この目的は、無線通信システム内でのリソース割当の方法であって、無線通信システムは、基地局および少なくとも１つの移動局を含み、基地局は、少なくとも２つのアンテナ要素を有する第１アンテナ・システムを含み、基地局および少なくとも１つの移動局は、コードブックを含み、方法は、基地局から少なくとも１つの移動局に基準信号を送信するステップと、少なくとも１つの移動局によって第１フィードバック情報を決定するステップとを含み、フィードバック情報は、基地局と少なくとも１つの移動局との間の送信チャネルの特性を近似する少なくとも１つのシステム記述を示す第１コンポーネントを含み、方法は、基地局で、第１フィードバック情報に基づいて少なくとも１つの移動局のコードブックの第１プリコーディング・ベクトルを選択するステップをさらに含む、方法によって達成される。
【００１１】
この目的は、さらに、無線通信システムに関する独立請求項１３、基地局に関する独立請求項１４、および移動局に関する独立請求項１５によって達成される。
【００１２】
本発明による方法は、送信チャネル特性の完全な記述を移動局から基地局にシグナリングすることを避けることによって利益を提供する。実際の送信チャネル特性を近似するシステム記述の１つの表示が、フィードバック情報に関して十分である。複数の表示をフィードバック情報内で使用して、プリコーディング・ベクトルの選択をさらに改善することができる。
【００１３】
もう１つの利益は、従来技術より多数のプリコーディング・ベクトルについて基地局で伝送効率を予測する可能性である。制限されたフィードバック情報を用いる従来技術では、基地局は、最良プリコーディング・ベクトル、最良コンパニオン・プリコーディング・ベクトル、または非常に限られた個数のプリコーディング・ベクトルのみに関するフィードバック情報を受信する。
【００１４】
本発明の好ましい実施形態では、第１の事前定義のしきい値を超えるユーティリティ値を提供する移動局およびプリコーディング・ベクトルだけが選択される。これを用いて、データが少なくとも２つの移動局へ異なるプリコーディング・ベクトルを使用して同時に送信されるときに、従来技術と比較して同一のまたはより低いフィードバック・データ・レートについて、より高いスペクトル効率およびより高い総合データ・スループットを達成することができる。
【００１５】
本発明のさらなる好ましい実施形態では、正規化されたシステム記述が使用される。これは、無線通信システム内のシステム記述の個数を制限することを可能にする。その場合に、正規化されたシステム記述と送信チャネル特性との間の少なくとも１つの適応パラメータ値が、移動局で計算され、フィードバック情報は、少なくとも１つの適応パラメータ値を提供する第２コンポーネントをさらに含む。
【００１６】
本発明のさらに好ましい実施形態では、複数のシステム記述の第１ユーティリティ値と送信チャネル特性の第２ユーティリティ値との間の近似誤差が、プリコーディング・ベクトルの複数の組合せについて計算される。これは、システム記述のうちで、第２の事前定義のしきい値未満の近似誤差値を有するシステム記述の選択を可能にする。
【００１７】
第１の代替案では、近似誤差値を、移動局から基地局へのフィードバック情報の第３コンポーネントとして報告することができる。
【００１８】
第２の代替案では、近似誤差値を使用して、適応値を調整することができる。これは、近似誤差値を報告することを避けるという利益を提供する。このさらなる好ましい実施形態では、フィードバック情報を制限するために、調整された適応値だけが、システム記述の表示と一緒に、移動局から基地局に報告される。
【００１９】
どちらの代替案も、近似誤差値が、より適切なプリコーディング・ベクトルを選択するために基地局の判断アルゴリズム内で訂正された計算を実行するのに使用されるという利益を提供する。
【００２０】
本発明のさらなる有利な特徴は、この方法の従属請求項によって定義される。
【００２１】
本発明の実施形態は、次の詳細な説明で明白になり、非限定的な例示のために与えられる添付図面によって示される。
【図面の簡単な説明】
【００２２】
【図１】本発明の第１、第２、第３、第４、および第５の実施形態による方法を実行する無線通信ネットワークを示すブロック図である。
【図２】本発明の第１実施形態による方法を示す流れ図である。
【図３】本発明の第２実施形態による方法を示す流れ図である。
【図４】本発明の第１応用例の無線セルのセクタを示すブロック図である。
【図５】本発明の第３実施形態による方法を示す流れ図である。
【図６】本発明の第４実施形態による方法を示す流れ図である。
【図７】本発明の第５実施形態による方法を示す流れ図である。
【図８】本発明の第１、第２、第３、第４、および第５の実施形態による方法を実行する基地局を示すブロック図である。
【図９】本発明の第１、第２、第３、第４、および第５の実施形態による方法を実行する移動局を示すブロック図である。
【発明を実施するための形態】
【００２３】
図１を参照すると、無線通信システムＲＣＳは、無線アクセス・ネットワークＲＡＮを含む。
【００２４】
無線アクセス・ネットワークＲＡＮは、無線セルＣを含む。無線セルＣは、基地局ＢＳおよびセクタＳＥＣを含む。
【００２５】
代替案では、無線セルＣは、異なるセクタ内で断片化されない。セクタＳＥＣは、第１移動局ＭＳ１および第２移動局ＭＳ２を含む。
【００２６】
基地局ＢＳは、少なくとも２つのアンテナ要素を有するアンテナ・システムを含む。移動局ＭＳ１、ＭＳ２は、それぞれ、１つのアンテナ要素を有するアンテナ・システムを含む。したがって、基地局ＢＳと移動局ＭＳ１、ＭＳ２との間のダウンリンク・チャネルＤＬＣは、ＭＩＳＯチャネル（ＭＩＳＯ＝多入力単一出力）である。
【００２７】
代替案では、移動局ＭＳ１、ＭＳ２が少なくとも２つのアンテナ要素を有するアンテナ・システムを含む場合に、ＭＩＭＯチャネル（ＭＩＭＯ＝多入力多出力）を使用することができる。
【００２８】
無線アクセス・ネットワークＲＡＮのさらなる無線セル、無線セルＣのさらなるセクタ、およびセクタＳＥＣのさらなる移動局は、単純化のために図示されていない。
【００２９】
ユーザ・データおよびシグナリング・データが、基地局ＢＳと第１および第２の移動局ＭＳ１、ＭＳ２との間で、ダウンリンク・チャネルＤＬＣおよびアップリンク・チャネルＵＬＣを介して交換される。
【００３０】
データ交換は、好ましくは、ＯＦＤＭＡ伝送技法によって実行される。
【００３１】
代替案では、たとえばＴＤＭＡなどの他の伝送技法を使用することができる。基地局ＢＳは、ダウンリンク・チャネルＤＬＣを介して基準信号ＲＳを送信する。
【００３２】
移動局ＭＳ１、ＭＳ２で受信されるダウンリンク・チャネルＤＬＣの基準信号ＲＳは、基地局ＢＳと移動局ＭＳ１、ＭＳ２との間で異なる伝送経路を移動した。基地局ＢＳと第１移動局ＭＳ１との間の異なる伝送経路は、結局、第１送信チャネルＴＣ１になる。同じように、基地局ＢＳと第２移動局ＭＳ２との間の異なる伝送経路は、結局、第２送信チャネルＴＣ２になる。
【００３３】
送信チャネルＴＣ１、ＴＣ２の特性を近似するシステム記述を示すフィードバック情報ＦＢＩ１、ＦＢＩ２が、移動局ＭＳ１、ＭＳ２からアップリンク・チャネルＵＬＣを介して基地局ＢＳに送信される。
【００３４】
システム記述は、事前定義のテスト・チャネル記述、より長い時限にわたる測定によって入手された平均化されたチャネル推定値、または、基地局ＢＳおよび移動局ＭＳ１、ＭＳ２で既知の、コードブックの異なるように重み付けされたプリコーディング・ベクトルの組合せとすることができる。
【００３５】
基地局ＢＳは、フィードバック情報ＦＢＩ１、ＦＢＩ２に基づいて、移動局ＭＳ１、ＭＳ２のプリコーディング・ベクトルを選択する。
【００３６】
図２を参照すると、本発明の第１実施形態による方法Ｍ１の流れ図が示されている。
【００３７】
第１ステップＭ１／１では、基地局ＢＳは、たとえば周期的に、第１アンテナ要素ＡＥ１および第２アンテナ要素ＡＥ２を介して基準信号ＲＳを送信するが、基準信号ＲＳは、たとえば重み付けされず、たとえば同一の振幅を用いて、両方のアンテナ要素ＡＥ１、ＡＥ２について変化せず、たとえば一定の振幅を用いて、両方のアンテナ要素ＡＥ１、ＡＥ２について直交で、送信される。第１基準信号ＲＳの直交性は、たとえば、両方のアンテナ要素ＡＥ１、ＡＥ２で異なるコード、異なる周波数、または異なる伝送時間を使用することによって達成することができる。基準信号ＲＳの候補は、たとえば、３ＧＰＰ  ＬＴＥシステムのＯＦＤＭＡ伝送技法で使用されている共通パイロットである。
【００３８】
次のステップＭ１／２では、第１移動局ＭＳ１が、基準信号ＲＳを受信する。
【００３９】
さらなるステップＭ１／３では、第１移動局ＭＳ１が、第１フィードバック情報ＦＢＩ１を決定する。
【００４０】
第１フィードバック情報ＦＢＩ１は、下限としてのダウンリンク・チャネルＤＬＣの周波数範囲全体の粒度、ダウンリンク・チャネルＤＬＣの周波数範囲全体の一部を含むリソース・ブロックの粒度、または上限としての周波数副搬送波の粒度に基づいて決定することができる。選択される粒度は、第１移動局ＭＳ１および基地局ＢＳ内の計算容量と、フィードバック情報用のアップリンク・チャネルの容量とに依存する。
【００４１】
次では、第１フィードバック情報ＦＢＩ１は、上で説明した副搬送波のセットを含むリソース・ブロックの粒度に基づいて決定される。
【００４２】
第１フィードバック情報ＦＢＩ１の決定は、複数のサブステップを含む。
【００４３】
第１サブステップでは、第１移動局ＭＳ１は、たとえば、基地局ＢＳでの基準信号ＲＳの送信特性の知識および第１移動局ＭＳ１での基準信号ＲＳの受信特性の知識に基づくプリコーディング・ベクトルのサブセットの組合せに関するＳＩＮＲ値（ＳＩＮＲ＝信号対干渉雑音比）に基づいて、リソース・ブロックについて第１ユーティリティ値を計算する。
【００４４】
ユーティリティ値は、たとえば、プリコーディング・ベクトルおよび移動局の特定の組合せに関するダウンリンク・チャネルＤＬＣの総合データ・レートである。
【００４５】
代替案として、ユーティリティ値は、ダウンリンク・チャネルＤＬＣの総合データ・レートならびにプリコーディング・ベクトルおよび移動局の特定の組合せに関する移動局ＭＳ１、ＭＳ２の専用データ・レートを含むフェアネス値（ｆａｉｒｎｅｓｓ  ｖａｌｕｅ）を含むことができる。
【００４６】
さらなる代替案では、ユーティリティ値を、プリコーディング・ベクトルおよび移動局の特定の組合せに関するダウンリンク・チャネルＤＬＣの総合データ・レート、プリコーディング・ベクトルおよび移動局の特定の組合せに関する移動局ＭＳ１、ＭＳ２の専用データ・レート、ならびに移動局ＭＳ１、ＭＳ２のサービスのＱｏＳパラメータ（ＱｏＳ＝サービス品質）を含むＱｏＳ値とすることができる。
【００４７】
組合せは、他の移動局について使用される他のプレコーディング・ベクトルではなく、データをスケジューリングするために第１移動局ＭＳ１について使用される１つのプレコーディング・ベクトルによって与えられる。あるいは、組合せは、データをスケジューリングするために第１移動局ＭＳ１について使用されるプレコーディング・ベクトルと、別の移動局について使用される少なくともさらなるプレコーディング・ベクトルとによって与えられる。第１の場合には、他のプレコーディング・ベクトルによる干渉はない。第２の場合には、その少なくともさらなるプレコーディング・ベクトルが、第１移動局ＭＳ１について使用されるプレコーディング・ベクトルに対する干渉を生成する。
【００４８】
たとえば、ビーム距離法が無線通信システムＲＣＳ内で使用される場合に、プレコーディング・ベクトルのサブセットだけを、組合せについて使用することができる。プレコーディング・ベクトルのサブセットだけが使用される場合には、そのサブセットは、基地局ＢＳおよび第１移動局ＭＳ１で既知でなければならない。ビーム距離法が使用される場合には、それに加えて、ビーム距離判断基準が、第１移動局ＭＳ１で既知でなければならない。
【００４９】
代替案では、第１ユーティリティ値の計算を、ＳＩＲ値（ＳＩＲ＝信号対干渉比）に基づくものとすることができる。
【００５０】
ＯＦＤＭＡ伝送技法が使用されない場合には、基地局から第１移動局ＭＳ１への異なる並列チャネルを有する伝送システムのさらなる代替案で、ＯＦＤＭ副搬送波ではなくＴＤＭＡ伝送技法の異なるタイム・スロットを使用することができる。
【００５１】
第２サブステップでは、第１移動局ＭＳ１は、同一のリソース・ブロックについて、およびプリコーディング・ベクトルの同一の組合せについて、システム記述に基づいて第２ユーティリティ値を計算する。
【００５２】
第１および第２のサブステップは、すべてのリソース・ブロックについて、プリコーディング・ベクトルのサブセットのすべての組合せについて、およびシステム記述のサブセットについて繰り返される。
【００５３】
代替案では、第１および第２のサブステップを、コードブックのすべてのプリコーディング・ベクトルのすべての組合せについて繰り返すことができる。
【００５４】
たとえば、システム記述の一部が、事前推定によって、第１送信チャネルＴＣ１の特性を近似するのに不適当と見なされ得る場合には、システム記述のサブセットだけが、この計算に使用される。
【００５５】
さらなる代替案では、第１および第２のサブステップは、第１移動局ＭＳ１および基地局ＢＳで既知のすべてのシステム記述について繰り返される。
【００５６】
第１移動局ＭＳ１で第１および第２のサブステップで使用されなければならないプリコーディング・ベクトルのサブセットの組合せを、たとえば第１移動局ＭＳ１がセルＣまたはセクタＳＥＣに入るときに、基地局ＢＳから第１移動局ＭＳ１にシグナリングすることができる。第３サブステップでは、第１移動局ＭＳ１は、第１サブステップで計算された第１ユーティリティ値を、同一のリソース・ブロックについておよびプリコーディング・ベクトルの同一の組合せについて第２サブステップで計算された第２ユーティリティ値と比較する。
【００５７】
第４サブステップでは、第１移動局ＭＳ１は、システム記述のうちで、ユーティリティにおける最良の一致をもたらすシステム記述を選択し、そのシステム記述の表示を第１フィードバック情報ＦＢＩ１内の第１コンポーネントＣＯ１として出力する。
【００５８】
代替案では、ほぼ同一の最小の差をもたらす少なくとも２つのシステム記述がある場合に、少なくとも、第２システム記述に関する第２表示を出力することができる。
【００５９】
次のステップＭ１／４では、第１移動局ＭＳ１は、第１フィードバック情報ＦＢＩ１を基地局ＢＳに送信する。
【００６０】
さらなるステップＭ１／５では、基地局ＢＳが、第１フィードバック情報ＦＢＩ１を受信する。
【００６１】
次のステップＭ１／６では、基地局ＢＳが、第１フィードバック情報ＦＢＩ１に基づいて、第１移動局ＭＳ１の第１プリコーディング・ベクトルを選択する。
【００６２】
第１プリコーディング・ベクトルの選択は、複数のサブステップを含む。
【００６３】
第５サブステップでは、基地局ＢＳが、プリコーディング・ベクトルの組合せのうちの１つに関する示されたシステム記述に基づいて、第３ユーティリティ値を計算する。
【００６４】
たとえば、第１移動局ＭＳ１だけがスケジューリングされる必要がある場合に、第５サブステップは、１つのプリコーディング・ベクトルだけを含むプリコーディング・ベクトルの組合せについてのみ繰り返される。たとえば、コードブックが、８つのプリコーディング・ベクトルを含み、組合せが、すべてのプリコーディング・ベクトルに基づかなければならない場合には、第５サブステップは、８回繰り返されなければならない。
【００６５】
第６サブステップでは、基地局ＢＳが、第１移動局ＭＳ１のためにプリコーディング・ベクトルのうちの１つを選択する。従来技術では、基地局ＢＳは、通常、基地局ＢＳへのフィードバック情報内で示されるプリコーディング・ベクトルを選択する。本発明では、特定のプリコーディング・ベクトルではなく、システム記述が基地局ＢＳに示される。したがって、基地局ＢＳは、示されたシステム記述から、プリコーディング・ベクトルのうちのどの１つが第１移動局ＭＳ１に適切であるのかを推定しなければならない。第１移動局ＭＳ１だけが、セクタＳＥＣ内でスケジューリングされる必要がある場合には、推定を、１つのプリコーディング・ベクトルだけが存在する、計算された組合せを介して行うことができる。その組合せのプリコーディング・ベクトルが選択され、このプリコーディング・ベクトルは、事前定義の判断基準を満足する。事前定義の判断基準は、たとえば、計算された第３ユーティリティ値の第１の事前定義のしきい値である。
【００６６】
第１の事前定義のしきい値は、たとえば、計算されたデータ・レートのうちの１つだけが第１の事前定義のしきい値以上になる形で、基地局ＢＳによって決定される。
【００６７】
代替案として、計算されたデータ・レートのうちの複数が第１の事前定義のしきい値を超える第１の事前定義のしきい値が、決定される。
【００６８】
方法Ｍ１を実行するためのステップおよびサブステップの個数は、クリティカルではなく、当業者が理解できるように、ステップおよびサブステップの個数を、本発明の範囲から逸脱せずに変更することができる。
【００６９】
本発明の第１実施形態による方法は、実際の送信チャネル特性を近似するシステム記述の表示だけを第１フィードバック情報内で送信することによって第１の利益を提供し、これによって、第１移動局ＭＳ１から基地局ＢＳへの送信チャネル特性の完全な記述を送信することを回避する。
【００７０】
もう１つの利益は、コードブックの複数のプリコーディング・ベクトルまたはすべてのプリコーディング・ベクトルについて送信チャネル特性を評価する、基地局ＢＳでの可能性である。上で述べたように、従来技術での穏当な選択は、フィードバック情報内で示される単一のプリコーディング・ベクトルまたは少数のプリコーディング・ベクトルに制限される。
【００７１】
図３を参照すると、本発明の第２実施形態による方法Ｍ２の流れ図が示されている。本発明の第１実施形態で実行されるステップＭ１／１、Ｍ１／２、Ｍ１／３、Ｍ１／４、Ｍ１／５、およびＭ１／６に加えて、方法Ｍ２では、ステップＭ２／１、Ｍ２／２、およびＭ２／３が、第１移動局ＭＳ１によって実行されるステップＭ１／２、Ｍ１／３、およびＭ１／４と並列に、第２移動局ＭＳ２によって実行される。
【００７２】
ステップＭ２／１は、第２移動局ＭＳ２によって、ステップＭ１／２と同一の形で実行される。
【００７３】
さらなるステップＭ２／２は、第２移動局ＭＳ２によって、ステップＭ１／３と同様の形で実行される。
【００７４】
次のステップＭ２／３は、第２移動局ＭＳ２によって、ステップＭ１／４と同一の形で実行される。
【００７５】
さらなるステップＭ２／４は、基地局ＢＳによって、ステップＭ１／５と同一の形で実行される。
【００７６】
方法Ｍ１と比較して、方法Ｍ２について、ステップＭ１／６の第５サブステップは、１つのプリコーディング・ベクトルまたは２つのプリコーディング・ベクトルを含むプリコーディング・ベクトルの組合せについて繰り返される。たとえば、コードブックが８つのプリコーディング・ベクトルを含み、組合せがすべてのプリコーディング・ベクトルに基づかなければならない場合には、第５サブステップは、方法Ｍ２について７２回繰り返されなければならない。８回は、プリコーディング・ベクトルのうちの１つが、第１移動局ＭＳ１に割り当てられ、プリコーディング・ベクトルが、第２移動局ＭＳ２に割り当てられず、８回は、プリコーディング・ベクトルのうちの１つが、第２移動局ＭＳ２に割り当てられ、プリコーディング・ベクトルが、第１移動局ＭＳ１に割り当てられず、５６回は、プリコーディング・ベクトルのうちの１つが、第１移動局ＭＳ１に割り当てられ、プリコーディング・ベクトルのうちの別の１つが、第２移動局ＭＳ２に割り当てられる。
【００７７】
第１および第２のプリコーディング・ベクトルを有する組合せの第３ユーティリティ値の計算について、基地局ＢＳは、第２データが第２プリコーディング・ベクトルと共に第２移動局ＭＳ２に送信されるのと同時に、第１データが、第１プリコーディング・ベクトルと共に第１移動局ＭＳ１に送信されると仮定する。
【００７８】
方法Ｍ２を実行するステップのシーケンスおよび個数は、クリティカルではなく、当業者が理解できるように、ステップのシーケンスおよび個数を、本発明の範囲から逸脱せずに変更することができる。
【００７９】
少なくとも第２移動局ＭＳ２から基地局ＢＳに第２システム記述の少なくとも１つの表示を送信することによって、基地局ＢＳは、移動局およびプリコーディング・ベクトルの複数の組合せについてユーティリティティ値（たとえば、ダウンリンク・チャネルＤＬＣの総合データ・レート）を計算することができる。総合データ・レートの場合に、基地局ＢＳは、たとえば最大の総合データ・レートをもたらす、移動局およびプリコーディング・ベクトルの組合せを選択する。これによって、ダウンリンク・チャネルＤＬＣのスペクトル効率が高められる。
【００８０】
本発明の第１応用例による図４を参照すると、ＬＯＳによって支配されるシナリオ（ＬＯＳ＝見通し線）でのセクタＳＥＣのブロック図が示されている。ＬＯＳによって支配されるシナリオは、基地局ＢＳから移動局ＭＳ１、ＭＳ２への支配される経路が、直接見通し線チャネルであることを意味する。
【００８１】
セクタＳＥＣは、グラウンド・レベルで、第１および第２のセクタ境界ＳＥＣＢ１およびＳＥＣＢ２によって制限される。第１および第２のセクタ境界ＳＥＣＢ１およびＳＥＣＢ２は、基地局ＢＳの位置ＬＯＣで互いに交差する。
【００８２】
グラウンド・レベルでのセクタ法線ＳＥＣＮは、第１および第２のセクタ境界ＳＥＣＢ１とＳＥＣＢ２との間で、セクタ法線ＳＥＣＮと第１および第２のセクタ境界ＳＥＣＢ１、ＳＥＣＢ２との間の角度ＡＮＧによって等間隔にされる。
【００８３】
次では、事前定義のテスト・チャネル記述が、システム記述に使用される。
【００８４】
テスト・チャネル記述は、セクタＳＥＣ内の第１および第２の移動局ＭＳ１、ＭＳ２について使用される。
【００８５】
代替案では、テスト・チャネル記述の第１セットが、第１移動局ＭＳ１について使用され、テスト・チャネル記述の第２セットが、第２移動局ＭＳ２について使用される。
【００８６】
テスト・チャネル記述は、たとえば、ＬＯＳチャネルである。第１ＬＯＳチャネルＬＯＳＣ１は、セクタ法線ＳＥＣＮと第２セクタ境界ＳＥＣＢ２との間に配置される。第２ＬＯＳチャネルＬＯＳＣ２は、セクタ法線ＳＥＣＮと第１セクタ境界ＳＥＣＢ１との間に配置される。
【００８７】
第１ＬＯＳチャネルＬＯＳＣ１は、第１ＡＯＤ（ＡＯＤ＝発射角）ＡＯＤ１によって与えられる。第２ＬＯＳチャネルＬＯＳＣ２は、第２ＡＯＤ（ＡＯＤ＝発射角）ＡＯＤ２によって与えられる。
【００８８】
第１ＬＯＳチャネルＬＯＳＣ１は、第１移動局ＭＳ１に向けられ、第２ＬＯＳチャネルＬＯＳＣ２は、第２移動局ＭＳ２に向けられる。本発明の第１応用例によれば、第１移動局ＭＳ１は、第１ＬＯＳチャネルＬＯＳＣ１が基地局ＢＳと第１移動局ＭＳ１との間の送信チャネルの特性を近似すると判定し、第１ＬＯＳチャネルＬＯＳＣ１の第１表示を基地局ＢＳに送信する。同様に、第２移動局ＭＳ２は、第２ＬＯＳチャネルＬＯＳＣ２が基地局ＢＳと第２移動局ＭＳ２との間の送信チャネルの特性を近似すると判定し、第２ＬＯＳチャネルＬＯＳＣ２の第２表示を基地局ＢＳに送信する。
【００８９】
原則として、基地局と移動局との間の送信チャネルに関する多数の条件に関する送信チャネル特性を定義することができる。しかし、メモリ容量および製造コストの制限により、またフィードバック情報内で表示に使用されるビット数の穏当な制限により、セクタＳＥＣ内で限られた個数の正規化されたシステム記述だけを使用することが望ましい。
【００９０】
図５を参照すると、本発明の第３実施形態による方法Ｍ３の流れ図が示されている。本発明の第１実施形態で実行されるステップＭ１／１、Ｍ１／２、Ｍ１／３、Ｍ１／４、Ｍ１／５、およびＭ１／６に加えて、方法Ｍ３では、ステップＭ３／１が、ステップＭ１／２とＭ１／３との間に実行される。
【００９１】
ステップＭ３／１では、第１移動局ＭＳ１が、正規化されたシステム記述と第１送信チャネルＴＣ１の特性との間の適応パラメータの値を計算する。
【００９２】
代替案では、第１移動局ＭＳ１は、第１移動局ＭＳ１のアンテナ・システムのアンテナ要素ごとに、正規化されたシステム記述と第１送信チャネルＴＣ１の特性との間の適応パラメータの値を計算する。
【００９３】
適応パラメータの値の計算は、送信チャネルＴＣ１の特性に最も良くあてはまる正規化されたシステム記述が、信号の減衰、セクタ間干渉に起因する干渉レベル、および外部雑音源に起因する雑音レベルを考慮に入れていないので、必要である。
【００９４】
システム記述のテスト・チャネル記述を使用する場合に、適応パラメータは、たとえば、テスト・チャネル記述の第１電力レベルを第１送信チャネルＴＣ１の特性の第２電力レベルに適応させる雑音電力である。雑音電力は、ダウンリンク・チャネルＤＬＣの受信電力レベル、セクタ間干渉電力レベル、および外部雑音源の電力レベルの間の比から入手される。
【００９５】
雑音電力の計算要件により、通常は、ＡＷＧＮ電力（ＡＷＧＮ＝加法性白色ガウス雑音）が使用される。
【００９６】
ステップＭ１／３では、第１移動局ＭＳ１は、方法Ｍ１と比較して、第１コンポーネントＣＯ１およびそれに加えて適応パラメータの値を提供する第２コンポーネントＣＯ２を有する第１フィードバック情報ＦＢＩ１を決定する。
【００９７】
ステップＭ１／４では、第１移動局ＭＳ１は、方法Ｍ１と比較して、第１コンポーネントＣＯ１およびそれに加えて第２コンポーネントＣＯ２を有する第１フィードバック情報ＦＢＩ１を基地局ＢＳに送信する。
【００９８】
代替案では、第１移動局ＭＳ１は、ステップＭ１／４で、第１移動局ＭＳ１のアンテナ・システムのアンテナ要素ごとに適応パラメータの値を送信する。
【００９９】
方法Ｍ３を実行するステップのシーケンスおよび個数は、クリティカルではなく、当業者が理解できるように、ステップのシーケンスおよび個数を、本発明の範囲から逸脱せずに変更することができる。
【０１００】
上で述べたように、正規化されたシステム記述へのシステム記述の穏当な制約は、第１移動局ＭＳ１、基地局ＢＳ、および第１フィードバック情報ＦＢＩ１でのリソース消費を低減する。
【０１０１】
基地局ＢＳと第１移動局ＭＳ１との間の第１送信チャネルＴＣ１の特性に対してより信頼できる形で第１移動局ＭＳ１の第１プリコーディング・ベクトルを選択するためには、システム記述のうちで第１フィードバック情報ＦＢＩ１内で示される１つと第１送信チャネルＴＣ１の特性との間の近似誤差を決定することが望ましい。さらに、より適切な変調およびコーディング方式を選択することができる。
【０１０２】
図６を参照すると、本発明の第４実施形態による方法Ｍ４の流れ図が示されている。本発明の第３実施形態に従って実行されるステップＭ１／１からＭ１／６およびステップＭ３／１に加えて、ステップＭ４／１およびＭ４／２が、ステップＭ３／１とステップＭ１／３との間に実行される。
【０１０３】
ステップＭ４／１では、第１移動局ＭＳ１が、コードブックのプリコーディング・ベクトルのサブセットの組合せについて、システム記述の第１ユーティリティ値と第１送信チャネルＴＣ１の特性の第２ユーティリティ値との間の近似誤差を計算する。
【０１０４】
上で述べたように、総合データ・レートは、例示的にユーティリティ値に使用される。したがって、第１ユーティリティ値について第１データ・レート、第２ユーティリティ値について第２データ・レートが使用される。第１データ・レートは、コードブックのプリコーディング・ベクトルの組合せおよびシステム記述のパラメータの第１関数である。第２データ・レートは、第１データ・レートに関するものと同一のプリコーディング・ベクトルの組合せ、第１移動局ＭＳ１によって受信された基準信号ＲＳ、および推定された平均雑音電力の第２関数である。
【０１０５】
ステップＭ１／４は、システム記述のサブセットのすべてのシステム記述について、およびプリコーディング・ベクトルのサブセットのすべての組合せについて繰り返される。ステップＭ４／２では、第１移動局ＭＳ１は、第２の事前定義のしきい値未満の第２値を用いて、計算された近似誤差の近似誤差を決定する。
【０１０６】
第２の事前定義のしきい値は、たとえば、計算された近似誤差のうちの１つだけが第２の事前定義のしきい値以下になる形で、第１移動局ＭＳ１によって決定される。
【０１０７】
代替案として、計算された近似誤差のうちの複数が第２の事前定義のしきい値未満になる、第２の事前定義のしきい値が決定される。
【０１０８】
ステップＭ１／３では、第１移動局ＭＳ１は、方法Ｍ１と比較して、第１コンポーネントＣＯ１、第２コンポーネントＣＯ２、およびそれに加えて近似誤差を提供する第３コンポーネントＣＯ３を有する第１フィードバック情報ＦＢＩ１を決定する。
【０１０９】
ステップＭ１／４では、第１移動局ＭＳ１は、方法Ｍ１と比較して、第１コンポーネントＣＯ１、第２コンポーネント、およびそれに加えて第３コンポーネントＣＯ３を有する第１フィードバック情報ＦＢＩ１を基地局ＢＳに送信する。
【０１１０】
方法Ｍ４を実行するステップのシーケンスおよび個数は、クリティカルではなく、当業者が理解できるように、ステップのシーケンスおよび個数を、本発明の範囲から逸脱せずに変更することができる。特に、ステップＭ３／１および第１フィードバック情報ＦＢＩ１内の第２コンポーネントＣＯ２の送信は、正規化されたシステム記述が使用されない場合には、必要ではない。
【０１１１】
第１移動局ＭＳ１で近似誤差を計算し、近似誤差を基地局ＢＳに送信することによって、基地局ＢＳは、より信頼できるプリコーディング・ベクトルならびにより適切な変調およびコーディング方式を選択するために判断アルゴリズムで近似誤差を組み込むことができる。
【０１１２】
図７を参照すると、本発明の第５実施形態による方法Ｍ５の流れ図が示されている。本発明の第４実施形態に従って実行されるステップＭ１／１からＭ１／６、ステップＭ３／１、ならびにステップＭ４／１およびＭ４／２と比較して、ステップＭ１／３では、第１移動局ＭＳ１は、第１コンポーネントＣＯ１および、近似誤差値にさらに依存する適応パラメータの値を提供する第２コンポーネントＣＯ２＿ＡＥＶを伴う第１フィードバック情報ＦＢＩ１を決定する。
【０１１３】
適応パラメータとして雑音電力を使用して、雑音電力を適当な電力レベルまで増やすことによって、近似誤差を考慮に入れることができる。
【０１１４】
方法Ｍ５を実行するステップのシーケンスおよび個数は、クリティカルではなく、当業者が理解できるように、ステップのシーケンスおよび個数を、本発明の範囲から逸脱せずに変更することができる。
【０１１５】
適応パラメータの値および近似誤差値を第２コンポーネントＣＯ２＿ＡＥＶの単一の値に組み合わせることの利益は、第３コンポーネントＣＯ３を省略し、第１フィードバック情報ＦＢＩ１内で２つのコンポーネントＣＯ１、ＣＯ２＿ＡＥＶだけを送信することによる、アップリンク・チャネルＵＬＣ内のフィードバック情報の削減である。図８を参照すると、図１の基地局ＢＳは、アンテナ・システムＡＳ１、トランシーバＴＲ１、ＣＰＵ（ＣＰＵ＝中央処理装置）ＣＰＵ１、およびコンピュータ可読媒体ＭＥＭ１を含む。
【０１１６】
アンテナ・システムＡＳ１は、第１アンテナ要素ＡＥ１および第２アンテナ要素ＡＥ２を含む。代替案では、第１アンテナ・システムＡＳ１は、３つ以上のアンテナ要素または当技術分野で既知の任意の種類のマルチアンテナ・システムを含むことができる。
【０１１７】
トランシーバＴＲ１は、アンテナ・システムＡＳ１を介して、基準信号ＲＳを送信し、基地局ＢＳと移動局ＭＳ１、ＭＳ２との間の送信チャネルＴＣ１、ＴＣ２の特性を近似するシステム記述を示す第１コンポーネントＣＯ１を含む第１および第２のフィードバック情報ＦＢＩ１、ＦＢＩ２を受信する。
【０１１８】
コンピュータ可読媒体ＭＥＭ１は、コンピュータ可読プログラムＰＲＯＧ１、プリコーディング・ベクトルのセットを含むコードブック、およびシステム記述のセットを格納すると予測される。
【０１１９】
コードブックおよびシステム記述のセットを、初期動作中にローカルに構成することができ、あるいは、たとえば運用保守センタとして、たとえばネットワーク要素によってリモートに構成することができる。コンピュータ可読プログラムＰＲＯＧ１は、本発明の第１の（図２を参照されたい）、第２の（図３を参照されたい）、第３の（図５を参照されたい）、第４の（図６を参照されたい）、および／または第５の（図７を参照されたい）実施形態による方法のステップを実行すると予測される。
【０１２０】
具体的に言うと、コンピュータ可読プログラムＰＲＯＧ１は、フィードバック情報ＦＢＩ１、ＦＢＩ２に基づいて移動局ＭＳ１、ＭＳ２のプリコーディング・ベクトルを選択する手段を含む。
【０１２１】
ＣＰＵ  ＣＰＵ１は、コンピュータ可読プログラムＰＲＯＧ１を実行すると予測される。
【０１２２】
図９を参照すると、図１の移動局ＭＳ１、ＭＳ２は、アンテナ・システムＡＳ２、トランシーバＴＲ２、ＣＰＵ  ＣＰＵ２、およびコンピュータ可読媒体ＭＥＭ２を含む。
【０１２３】
アンテナ・システムＡＳ２は、アンテナ要素ＡＥ３を含む。代替案では、アンテナ・システムＡＳ２は、複数のアンテナ要素を含むことができる。
【０１２４】
トランシーバＴＲ２は、アンテナ・システムＡＳ２を介して、基準信号ＲＳを受信し、フィードバック情報ＦＢＩ１、ＦＢＩ２を送信する。
【０１２５】
コンピュータ可読媒体ＭＥＭ２は、コンピュータ可読プログラムＰＲＯＧ２、プリコーディング・ベクトルのセットを含むコードブック、およびシステム記述のセットを格納すると予測される。
【０１２６】
コードブックおよびシステム記述のセットを、たとえば、移動局ＭＳ１、ＭＳ２が基地局のセルに入るときに、その基地局によって構成することができる。
【０１２７】
コンピュータ可読プログラムＰＲＯＧ２は、本発明の第１の（図２を参照されたい）、第２の（図３を参照されたい）、第３の（図５を参照されたい）、第４の（図７を参照されたい）、および／または第５の（図７を参照されたい）実施形態による方法のステップを実行すると予測される。
【０１２８】
具体的に言うと、コンピュータ可読プログラムＰＲＯＧ２は、基地局ＢＳと移動局ＭＳ１、ＭＳ２との間の送信チャネルＴＣ１、ＴＣ２の特性を近似するシステム記述を示す第１コンポーネントＣＯ１を含むフィードバック情報ＦＢＩ１、ＦＢＩ２を決定する手段を含む。
【０１２９】
ＣＰＵ  ＣＰＵ２は、コンピュータ可読プログラムＰＲＯＧ２を実行することが予測される。
【図１】
2012510225.tif 000003
【図２】
2012510225.tif 000004
【図３】
2012510225.tif 000005
【図４】
2012510225.tif 000006
【図５】
2012510225.tif 000007
【図６】
2012510225.tif 000008
【図７】
2012510225.tif 000009
【図８】
2012510225.tif 000010
【図９】
2012510225.tif 000011
【国際調査報告】
2012510225.tif 000012
2012510225.tif 000013
2012510225.tif 000014